(57)【要約】【課題】男性器と尿取りパッドを着脱自在に貼着することにより男性器と尿取りパッドの位置ずれを防止し、尿漏れを効果的に防ぐ尿取りパッドを提供することである。【解決手段】吸水性材料で形成される嚢袋形状の男性用の尿取りパッド１であって、男性器を挿入可能な挿入口２と、男性器を被包可能で嚢袋形状に形成される吸水部３とを有し、挿入口２は、人体に剥離可能に貼着する粘着部４と、挿入口２を伸縮自在に形成する伸縮部材５とを備えるものである。【選択図】図１
2009291242.tif 000002
【特許請求の範囲】
【請求項１】
吸水性材料で形成される嚢袋形状の男性用の尿取りパッドであって、男性器を挿入可能な挿入口と、前記男性器を被包可能で嚢袋形状に形成される吸水部とを有し、前記挿入口は、人体に剥離可能に貼着する粘着部を備えることを特徴とする尿取りパッド。
【請求項２】
前記挿入口は、伸縮部材を備え、伸縮自在に形成されることを特徴とする請求項１に記載の尿取りパッド。
【請求項３】
吸水性材料で形成され、略長方形状で、一の長辺部側の両端部を重着して男性器全体を被包する吸水部を形成可能な男性用の尿取りパッドであって、他の長辺部は、人体に剥離可能に貼着する粘着部を有することを特徴とする尿取りパッド。
【請求項４】
前記長辺部は、伸縮部材を備え、伸縮自在に形成されることを特徴とする請求項３に記載の尿取りパッド。
【発明の詳細な説明】
【技術分野】
【０００１】
本発明は、介護目的に使用される男性用の尿取りパッドに関する。
【背景技術】
【０００２】
一般に、介護用に用いられる尿取りパッドは、パンツ式やテープ式の紙おむつや専用のおむつカバーと併用して、尿を速やかに吸収して、また、排尿毎に交換することによって、使用者を衛生的に保持するものである。また、紙おむつに比べると安価に構成されるため、頻繁な排尿による交換においても経済的負担を軽減することに寄与している。このような尿取りパッドには、いくつかの種類があり、特に、体型に対応して男性用と女性用に区別されるものもあり、尿漏れを防止することを最重要課題として、様々な検討がなされている。
【０００３】
例えば、特許文献１には、「男性の受尿器具」という名称で、簡易な構造で尿の漏出を防止し、排尿の状態を観察可能な男性の受尿器具に関する発明が開示されている。
この特許文献１に開示された発明は、柔軟性を有する受尿容器と、この受尿器具の開口部に結合され、陰茎保持手段と吸水性材料で形成される尿漏れ防止手段を備える陰茎包囲手段とを有するものである。
そして、陰茎包囲手段には、襞又はギャザーが施されており、この襞又はギャザーは、陰茎保持手段として、伸縮性を有する紐状体或いは帯状体を用いることにより構成されている。したがって、装着時には、開口部から挿入された陰茎は伸縮部材によって締め付けられるので、取り付けた当初の位置に保持することが可能となる。
また、陰茎包囲手段には、尿漏れ防止手段が設けられているので、毛細管現象等や寝返り等の使用者の動作によって、受尿容器に溜まった尿が陰茎包囲手段側へ移動しても、尿漏れ防止手段を構成する吸水性及び保水性を有する材料によって吸収されるので、外部への漏出を防止することができる。さらに、この尿漏れ防止手段は尿の吸収によって膨張し、陰茎保持手段とともに陰茎を締め付けて、漏れ防止効果を高めることができる。
そして、受尿容器は、無色透明なビニル樹脂シート等の柔軟性のある材料で形成されているので、排泄された尿の量や状態を簡単に観察することができ、また、使用後は、尿を便器に廃棄できるので、通常の紙おむつに比べると、ごみの量を低減することができる。
【０００４】
また、特許文献２には、「男性用尿漏れ防止付分離型おむつ」という名称で、排尿時と排便時の処理を分割して行える分離型であって、排尿時に尿漏れしにくい構造を有する男性用尿漏れ防止付分離型おむつに関する考案が開示されている。
この特許文献２に開示された考案は、尿吸収パットと、陰茎部固定切れ込みが形成される陰茎部固定パットと、尿吸収パットと陰茎部固定パットのそれぞれ両端部に介設され収縮可能な横漏れ防止ギャザーとを備える前部パットと、この前部パットに隣接して配置される後部パットと、前部パットと後部パットを着脱自在に接着する前部後部固定テープを備えるものである。
そして、使用者が陰茎部固定パットの陰茎部固定切れ込みに陰茎を挿入すると、横漏れ防止ギャザーの収縮によって、陰茎部固定パットと尿吸収パットはぴったりと合わさり、排尿時に尿漏れすることがないようになっている。また、前部パットと後部パットが着脱自在になっているので、排尿時又は排便時には、それぞれ汚れた側のパットのみの交換が可能であり、ごみを低減することができ、また、使用者には経済的な負担を軽減することができる。
【０００５】
そして、特許文献３には、「尿取りおむつ」という名称で、簡単な作業で交換が可能で、安価な尿取りおむつに関する発明が開示されている。
この特許文献３に開示された発明は、寝たきり病人の股間で、凹部が形成された先端部が尿道口を覆って配置可能な吸収材で形成される吸水体と、この吸水体の先端部を除く外周部に覆設され、防水可能な防水カバーとを有するものである。
そして、男性用と女性用に形状を変えており、男性用では、凹部は男性器を挿入することができるように女性用よりも深く形成されている。いずれの尿取りおむつにおいても、排尿時には吸水体が速やかに尿を吸収し、また、防水カバーを備えているので外部には尿漏れが生じないようになっている。使用後は、この尿取りおむつを交換するだけで、簡単におむつ替えを行うことができ、特に、寝たきり病人においては、体を動かす必要がないので、介護者の労力を著しく低減することができる。加えて、安価に構成させるので、使用毎に交換しやすく、寝たきり病人においては、床擦れの防止にも役立つ。
【特許文献１】特開２００６−３４５４５号公報
【特許文献２】実用新案登録第３１３１７４３号公報
【特許文献３】特開２０００−４２０１９号公報
【発明の開示】
【発明が解決しようとする課題】
【０００６】
しかしながら、特許文献１に記載された従来の技術では、陰茎包囲手段に設けられた襞やギャザーの伸縮によって、装着位置を保持することが可能としているが、使用者の動作によって、襞やギャザーが伸縮し、装着位置は容易に移動し、結果、尿漏れを引き起こすという課題があった。
【０００７】
また、特許文献２に記載された従来の技術では、陰茎部固定パットに形成される陰茎部固定切り込みは陰茎部を固定できるように、放射状に特殊カットされているが、陰茎部の周部と陰茎部固定パットが密に接する構造ではなく、また、陰茎部は陰茎部固定切り込みを容易に移動できるので、尿漏れの危険性が高いという課題があった。
【０００８】
そして、特許文献３に記載された従来の技術では、尿取りおむつの凹部に男性は、陰茎を挿入するだけであり、特に、挿入口に尿漏れ防止や位置ずれ防止の構造が施されておらず、特許文献１及び特許文献２と同様に尿漏れが生じ易いという課題があった。
【０００９】
本発明はかかる従来の事情に対処してなされたものであり、男性器と尿取りパッドを着脱自在に貼着することにより男性器と尿取りパッドの位置ずれを防止し、尿漏れを効果的に防ぐ尿取りパッドを提供することを目的とする。
【課題を解決するための手段】
【００１０】
上記目的を達成するため、請求項１記載の発明である尿取りパッドは、吸水性材料で形成される嚢袋形状の男性用の尿取りパッドであって、男性器を挿入可能な挿入口と、男性器を被包可能で嚢袋形状に形成される吸水部とを有し、挿入口は、人体に剥離可能に貼着する粘着部を備えるものである。
上記構成の尿取りパッドでは、挿入口は男性器を吸水部内に挿入するように作用し、嚢袋形状の吸水部は男性器を被包するように作用し、また、排泄される尿を吸収するように作用する。そして、粘着部は、人体に貼着したり剥離したりするように作用する。
【００１１】
また、請求項２に記載の発明である尿取りパッドは、請求項１に記載の尿取りパッドにおいて、挿入口は、伸縮部材を備え、伸縮自在に形成されるものである。
上記構成の尿取りパッドは、請求項１に記載の発明の作用に加えて、伸縮部材は挿入口を伸縮させるように作用する。
【００１２】
そして、請求項３に記載の発明である尿取りパッドは、吸水性材料で形成され、略長方形状で、一の長辺部側の両端部を重着して男性器全体を被包する吸水部を形成可能な男性用の尿取りパッドであって、他の長辺部は、人体に剥離可能に貼着する粘着部を有するものである。
上記構成の尿取りパッドでは、略長方形状の一の長辺部側の両端部を重着することによって男性器全体を被包する吸水部を形成するように作用し、また、吸水部は排泄される尿を吸水するように作用する。そして、他の長辺部に備わる粘着部は人体に貼着したり剥離したりするように作用する。
【００１３】
最後に、請求項４に記載の発明である尿取りパッドは、請求項３に記載の尿取りパッドにおいて、長辺部は、伸縮部材を備え、伸縮自在に形成されるものである。
上記構成の尿取りパッドでは、請求項３に記載の発明の作用に加えて、伸縮部材は長辺部を伸縮させるように作用する。
【発明の効果】
【００１４】
本発明の請求項１に記載の尿取りパッドでは、挿入口に人体に剥離可能に貼着する粘着部を備えているので、挿入口に挿入した所定の位置において男性器を粘着部に当接させると、男性器は粘着部と貼着して移動することなく挿入口に固定されるので、使用時に、男性器が挿入口から抜脱したり、位置が移動したりして生じる尿漏れを防止することができる。
【００１５】
また、本発明の請求項２に記載の尿取りパッドは、挿入口に伸縮部材を設けることによって、挿入口は伸縮し、男性器の挿脱を容易にとともに、挿入口に挿入される男性器を締め付けて、男性器と挿入口に位置ずれを防止することができる。
【００１６】
そして、本発明の請求項３に記載の尿取りパッドでは、略長方形の尿取りパッドの一の長辺部側の両端部を重着して男性器全体を被包する吸水部を形成する構成であって、他の長辺部は人体に剥離可能に貼着する粘着部を備えているので、粘着部によって男性器は他の長辺部に固定され、使用者の動作によって男性器が尿取りパッドから外れることがなく、結果、尿漏れを防止することができる。
【００１７】
また、本発明の請求項４に記載の尿取りパッドでは、長辺部の伸縮部材は、長辺部を伸縮自在とし、特に、他の長辺部では、男性器を締め付けて、男性器を粘着部とともに固定し、尿漏れ防止の効果を高めることができる。
【発明を実施するための最良の形態】
【００１８】
以下に、本発明に係る尿取りパッドの第１の実施の形態を図１及び図２を参照しながら説明する。（特に、請求項１及び請求項２に対応）
図１は、本発明の第１の実施の形態に係る尿取りパッドの斜視図である。
図１において、尿取りパッド１は、主に、嚢袋形状の吸水部３と、この吸水部３の前部に設けられる挿入口２から構成されている。尿取りパッド１は、男性用であり、挿入口２から男性器を挿入し、排泄された尿は吸水部３によって吸収されて、尿取りパッド１の外部には尿が漏れないようになっている。
吸水部３は、綿パルプ、吸収紙や高分子吸収材等の吸水性材料で形成される吸水体を主として、この吸水体の外部を覆う通気性のある防水材料と不織布等の布状材料の二層の薄いシート（以下、二層シートという。）を備えている。そして、嚢袋形状に形成する際の接合は、この二層シートにおいて行われており、図中では、上方の接合部７ａと前部の両端部の接合部７ｂ，７ｃである。吸水部３では、排泄された尿は吸水体によって迅速に吸収され、さらに防水材料を含む二層シートによって外部への尿漏れを防止している。
【００１９】
挿入口２は、吸水部３の前部が開口して形成されており、吸水部３の前部の下部８、第１の上部９及び第２の上部１０が周部になっている。そして、下部８には伸縮テープ５が設けられており、下部８は伸縮が自在になっている。この伸縮テープ５は、前述の防水材料と布状材料の二層シートに介設されており、伸縮テープ５が伸びた状態でも二層シートが破損しないように、伸縮テープ５が縮んだ状態では、二層シートはそれぞれ複数の襞が設けられ、ギャザー６が形成されている。
そして、符号４は、粘着テープであり、挿入口２から挿入された男性器に粘着して、尿取りパッド１と男性器の位置を固定することができる。したがって、尿取りパッド１の装着後では、粘着テープ４によって男性器から尿取りパッド１が外れたり、位置がずれたりすることがなく、例えば、就寝時の寝返り等の使用者の動作においても、尿取りパッド１は装着当初を位置を保持することができるので、外れることによる尿漏れや、位置ずれによって形成される隙間からの尿漏れを防止することができる。
また、粘着テープ４は、粘着力が弱く、人体の皮膚に繰り返し貼ったり、剥がしたりすることができる。また、粘着テープ４に使用する粘着剤は、痒み等のアレルギー反応が少ないものが好ましい。
【００２０】
次に、図２は、第１の実施の形態に係る尿取りパッドの上面図である。
図２において、尿取りパッド１を上方からみると、吸水部３の一の端部３ａと他の端部３ｂは大きく開口することができ、一の端部３ａの内面側に設置される接着テープ１１を他の端部３ｂの外面側の所望の位置に接着することにより、挿入口２の第１の上部９及び第２の上部１０の長さが調整され、挿入口２の大きさが決定される。したがって、男性器の大きさに対応して挿入口２を調整することができるので、男性器と挿入口２との隙間が生じ難く、この隙間からの尿漏れを防止することができる。
さらに、挿入口２は、前述のとおり、挿入口２の下部８に設けられる伸縮テープ５により伸縮自在であるので、装着時には挿入口２の下部８を引っ張って伸ばしておいて、男性器の大きさに合わせて接着テープ１１を貼って、男性器を挿入口２に固定すると、引っ張られた伸縮テープ５が収縮する力が作用して、その結果、挿入口２の下部８が男性器を締め付けるので、男性器は挿入口２により強固に固定され、抜脱や位置ずれがさらに生じ難く、尿漏れの防止に効果的である。加えて、粘着テープ４が男性器に張り付くので、抜脱及び位置ずれがない。
なお、伸縮テープ５は必ずしも設置する必要がなく、粘着テープ４のみの設置によっても十分に男性器の抜脱や位置ずれを防止することができる。また、伸縮テープ５と粘着テープ４を併設する場合は、粘着テープ４は伸縮自在の材料を用いることが好ましい。
【００２１】
このように構成された本第１の実施の形態においては、挿入口２に設置される粘着テープの貼着と伸縮テープの伸縮によって、挿入される男性器を挿入口２に固定し、使用者の動作によって、尿取りパッド１の抜脱や位置ずれを回避することができ、したがって、尿漏れを防止することができるので、使用者や介護者は安心して睡眠を取ったり、日常の動作を行ったりすることができる。また、通常併用される紙おむつを汚すことがないので、紙おむつに要する費用と使用後の廃棄物の量を低減することができる。
【００２２】
次に、本発明に係る尿取りパッドの第２の実施の形態を図３及び図４を参照しながら説明する。（特に、請求項３及び請求項４に対応）
図３は、本発明の第２の実施の形態に係る尿取りパッドの上面図である。
図３において、尿取りパッド１２は、略長方形状であり、綿パルプ、吸収紙や高分子吸収材等の吸水性材料で形成される吸水体１４と、この吸水体１４の外面を覆う通気性のある防水材料と不織布等の布状材料の薄い二層シート１５とを備える吸水部１３から主に構成されている。
吸水部１３の一の長辺部１３ａの略中央部には、二層シート１５の間に二本のゴム１６が設けられており、一の長辺部１３ａの略中央部は伸縮自在でギャザー１７ａが形成されている。一方、他の長辺部１３ｂの略中央部には、後述する粘着テープ１８の設置によって隠れているが、一の長辺部１３ａと同様に、二本のゴムが設けられており、他の長辺部１３ｂの略中央部は伸縮自在でギャザー１７ｂが形成されている。
尿取りパッド１２は、排泄される尿を吸水体１４が吸収するものであって、長方形状の状態で紙おむつや専用下着に装着したり、一の長辺部１３ａの両端部を重着して被包部を形成して男性器全体を被包部に挿入して紙おむつや専用下着に装着したりするものである。長方形状で使用する場合は、男女を問わず使用でき、また、排尿に限らず、排便にも対応することができ、一の長辺部１３ａ及び他の長辺部１３ｂのギャザー１７ａ，１７ｂは使用者の股間に密着することによって、更なる漏れを防止するように作用している。一方、被包部を形成する場合は、後述するが、使用対象が男性に限定されるものである。
なお、符号１９は接着テープであり、一の長辺部１３ａの両端部を重着して被包部を形成する際に、一の長辺部１３ａの両端部同士を接着して固定するためのものである。
【００２３】
次に、図４を用いて、被包部を形成して使用する場合について説明する。
図４は、第２の実施の形態に係る尿取りパッドを組み立てた場合の斜視図である。
図４において、尿取りパッド１２は、一の長辺部１３ａの両端部を重着して被包部２０を形成している。前述のように、一の長辺部１３ａは両端部を重ね合わせて接着テープを貼着することにより固定している。形成される被包部２０には、男性器全体を挿入して被包することが可能であり、また、他の長辺部１３ｂに設けられる粘着テープ１８は、被包部２０内に挿入された男性器に貼着して、男性器と尿取りパッド１２を固定することができる。したがって、装着後は位置ずれや抜脱がなく、位置ずれや抜脱による尿漏れを防止することができる。また、ギャザー１７ｂの伸縮も挿入される男性器を被包部２０内に保持するように作用する。
粘着テープ１８は、前述の第１の実施の形態の場合と同様に、弱粘性で低刺激の粘着剤を使用しており、貼ったり剥がしたりを繰り返しできるとともに人体への刺激が少ないものである。
なお、符号２１は、固定テープであり、装着後の尿取りパッド１２を紙おむつや専用下着に接着して固定するものである。
【００２４】
このように構成された本実施の形態では、長方形状の状態で使用したり、一の長辺部を重着して被包部を形成して使用したりでき、使用者が目的に応じて使い分けることができる。
特に、被包部を形成する場合は、男性器に貼着可能な粘着テープを備えているので、装着後は男性器と尿取りパッド１２の位置がずれ難く、位置ずれや抜脱による尿漏れを防止することができる。
また、形状が簡素であるので、安価に製造でき、使用者の費用の負担を軽減することができる。
【産業上の利用可能性】
【００２５】
以上説明したように、本発明の請求項１乃至請求項４に記載された発明は、簡単な構成で尿漏れを防止できる尿取りパッドを提供可能であり、一般家庭を始め、専用施設などにおいて利用可能である。
【図面の簡単な説明】
【００２６】
【図１】本発明の第１の実施の形態に係る尿取りパッドの斜視図である。
【図２】第１の実施の形態に係る尿取りパッドの上面図である。
【図３】本発明の第２の実施の形態に係る尿取りパッドの上面図である。
【図４】第２の実施の形態に係る尿取りパッドを組み立てた場合の斜視図である。
【符号の説明】
【００２７】
１…尿取りパッド  ２…挿入口  ３…吸水部  ３ａ…一の端部  ３ｂ…他の端部  ４…粘着テープ  ５…伸縮テープ  ６…ギャザー  ７ａ，７ｂ，７ｃ…接合部  ８…下部  ９…第１の上部  １０…第２の上部  １１…接着テープ  １２…尿取りパッド  １３…吸水部  １３ａ…一の長辺部  １３ｂ…他の長辺部  １４…吸水体  １５…二層シート  １６…ゴム  １７ａ，１７ｂ…ギャザー  １８…粘着テープ  １９…接着テープ  ２０…被包部  ２１…固定用テープ
【図１】
2009291242.tif 000003
【図２】
2009291242.tif 000004
【図３】
2009291242.tif 000005
【図４】
2009291242.tif 000006